(57)【特許請求の範囲】
【請求項１】
縦長の外装フイルム（１）と、外装フイルム（１）の短辺側略中央に設けられた外装フイルム（１）を長辺方向に引き裂く引き裂き手段（２）と、外装フイルム（１）の内側略中央で端部が上下に重合するように配され、且つ外装フイルム（１）の長辺側端部に接着された２枚の隔離フイルム（３，４）と、外装フイルム（１）と隔離フイルム（３，４）の間に挿入されたシート状食品（５）からなる本体部（６）と、本体部（６）の長辺側中央の左右端部に形成された三角形に形成されたにぎり飯（Ｎ）の斜面を覆う袖部（７，８）とを有し、本体部（６）の長辺側端部に形成された接着部（９）を、上下端に近い部分を幅狭く、袖部（７，８）に近い部分を幅広くなるように形成し、さらに袖部（７，８）との間に切り込み部（10）を設けたことを特徴とするおにぎり用包装材。
【請求項２】
本体部（６）の長辺側端部に形成された接着部（９）を除いたシート状食品収納部の短辺方向の長さ（Ｌ）が、略にぎり飯（Ｎ）の底部を覆う長さであることを特徴とする請求項１記載のおにぎり用包装材。
【請求項３】
本体部（６）を構成する外装フイルム（１）と２枚の隔離フイルム（３，４）が一枚のフイルムを折り曲げて形成したものであることを特徴とする請求項１又は２記載のおにぎり用包装材。
【請求項４】
袖部（７，８）が本体部（６）と別体に設けられたものであり、本体部（６）の接着部（９）の中央部分（9a）に接着されて形成されていることを特徴とする請求項１，２又は３記載のおにぎり用包装材。
【請求項５】
袖部（７，８）が不透明なフイルムからなるものであることを特徴とする請求項４記載のおにぎり用包装材。
【発明の詳細な説明】
【０００１】
【発明の属する技術分野】
この発明は、コンビニエンスストアやスーパーマーケット等で販売されている三角形に形成されたにぎり飯を包装するためのおにぎり用包装材に関し、にぎり飯に被せた海苔等のシート状食品が食べるときまで湿らないようにするために、シート状食品をにぎり飯と隔離した状態で包装できるようにしたものである。
【０００２】
【従来の技術】
従来の三角形に形成されたおにぎりを包装するおにぎり用包装材は、縦長矩形の外装フイルムと、外装フイルムの短辺側略中央に設けられ外装フイルムを長辺方向に引き裂く引き裂き手段と、外装フイルムの内側略中央で端部が上下に重合するように配され、且つ外装フイルムの長辺側端部と接着された２枚の隔離フイルムと、外装フイルムと隔離フイルムの間に挿入されたシート状食品からなるものであった。
【０００３】
そして、隔離フイルムの上側部分の上に三角に形成されたにぎり飯を置き、下側の部分でにぎり飯の裏側面と斜面に沿わせてから、上側部分のにぎり飯からはみだしている部分をにぎり飯の斜面及び裏側面に沿わせて包み、上側部分の端部を裏側面でラベル或いはテープで止めて包装していた。包装されたおにぎりの底面の両端の耳の部分は、開封するときの摘み部となっていた。
【０００４】
しかしながら、包装されたおにぎりの底面の両端の耳の部分と頂部の三方の角部分が包装材の弾発力により開きやすいという問題点があった。さらに、にぎり飯をおにぎり用包装材で包んだときに、内側となる下側部分の先部が上側部分で包むときに外側に折り曲げられているため、外装フイルムを長辺方向に引き裂いて両端の耳の部分を引っ張ってにぎり飯にシート状食品を被せるときに、シート状食品が外装フイルムと隔離フイルムとの間から抜けにくく、シート状食品が破れやすいという問題点があった。
【０００５】
【発明が解決しようとする課題】
そこでこの発明では、上記従来の問題点を解決し、おにぎりの三方の角部分が開くことなくきっちりと包装でき、しかもシート状食品が引っ掛かからず、簡単ににぎり飯の上にシート状食品を被すことができるおにぎり用包装材を提供することを目的とする。
【０００６】
【課題を解決するための手段】
そのため、この発明では、縦長の外装フイルム１と、外装フイルム１の短辺側略中央に設けられた外装フイルム１を長辺方向に引き裂く引き裂き手段２と、外装フイルム１の内側略中央で端部が上下に重合するように配され、且つ外装フイルム１の長辺側端部に接着された２枚の隔離フイルム３，４と、外装フイルム１と隔離フイルム３，４の間に挿入されたシート状食品５からなる本体部６と、本体部６の長辺側中央の左右端部に形成された三角形に形成されたにぎり飯Ｎの斜面を覆う袖部７，８とを有し、本体部６の長辺側端部に形成された接着部９を、上下端に近い部分を幅狭く、袖部７，８に近い部分を幅広くなるように形成し、さらに袖部７，８との間に切り込み部10を設けたおにぎり用包装材とした。
【０００７】
この発明の包装材でにぎり飯Ｎを包装するときは、隔離フイルム３，４の上側部分に三角形に形成されたにぎり飯Ｎを置き、下側の部分でにぎり飯Ｎの裏側面と斜面に沿わせてから、上側部分をにぎり飯Ｎの斜面に沿わせて包み、さらに袖部７，８でにぎり飯Ｎの斜面を覆い、袖部７，８の先端同士を接着する。このとき、袖部７，８が外装フイルム１の端を三角にぎり飯Ｎの斜面に密着するように押すので、包装されたおにぎりの角部が包装材の弾発力により開くことがない。
【０００８】
また、上下端に近い部分の接着部９の幅を狭く形成することにより、包装したときに本体部６の上下端の角部が折り曲げられることがないので、包装しやすくなり、袖部７，８に近い部分の接着部９の幅を幅広く形成することにより、おにぎりの底部角付近が接着部９で覆われ、充分に包装されるようになっているとともに、切り込み部10が、包装するときに、本体部６をにぎり飯Ｎに沿って折り曲げやすくなっている。
【０００９】
請求項２に記載のように、請求項１記載の構成に加え、本体部６の長辺側端部に形成された接着部９を除いたシート状食品収納部の短辺方向の長さＬが、略にぎり飯Ｎの底部を覆う長さとすることが好ましい。
【００１０】
このようにすれば、隔離フイルム３，４の上ににぎり飯Ｎを置き、下側の部分でにぎり飯Ｎの裏側面と斜面に沿わせたとき、下側の部分がにぎり飯Ｎの斜面よりはみださず、上側部分をにぎり飯Ｎに沿わせて包んだときに、下側の部分が上側部分で折り曲げられることがないので、食べるときにシート状食品が簡単に抜ける。
【００１１】
請求項３に記載のように、請求項１又は２記載の構成に加え、本体部６を構成する外装フイルム１と２枚の隔離フイルム３，４が一枚のフイルムを折り曲げて形成したものとすることが好ましい。
【００１２】
このようにすれば、おにぎり用包装材製造機にかけるフイルムロールが、従来のおにぎり用包装材製造機では外装フイルムと２枚の隔離フイルムの３つ必要であったが、この発明では隔離フイルム３，４をフイルムの両端を折り曲げることにより形成しているので、おにぎり用包装材製造機にかけるフイルムロールが一つになる。そのため、包装材製造機にかけるフイルムロールの数が減り、フイルムロールの掛け替え作業が減る。
【００１３】
請求項４に記載のように、請求項１，２又は３記載の構成に加え、袖部７，８が本体部６と別体に設けられたものであり、本体部６の接着部９の中央部分9aに接着されて形成されたものとすることが好ましい。
【００１４】
このようにすれば、袖部７，８を外装フイルム１と一体に形成した場合に比べ、使用するフイルム材料が少なくなる。
【００１５】
請求項５に記載のように、請求項４記載の構成に加え、袖部７，８が不透明なフイルムからなるものとすることが好ましい。
【００１６】
このようにすれば、包装したときに外装フイルム１の重なり部分が袖部７，８により隠されて見えなくなるだけでなく、袖部７，８に印刷を施して製造年月日や原材料等の表示部とすることができるようになる。
【００１７】
【発明の実施の形態】
以下、この発明の実施の形態を図面に基づいて説明する。
【００１８】
図１は、この発明のおにぎり用包装材の隔離フイルム側より見た正面図、図２は、図１のＡ−Ａ断面図である。
【００１９】
この発明のおにぎり用包装材は、図１に示すように、略縦長略矩形の外装フイルム１と、外装フイルム１の短辺側略中央に設けられた外装フイルム１を長辺方向に引き裂く引き裂き手段２と、外装フイルム１の内側略中央で端部が上下に重合するように配され、且つ外装フイルム１の長辺側端部と接着された２枚の隔離フイルム３，４と、外装フイルム１と隔離フイルム３，４の間に挿入されたシート状食品５からなる本体部６と、本体部６の長辺側中央の左右端部に形成された三角にぎり飯の斜面を覆う袖部７，８とからなる。
【００２０】
外装フイルム１は、透明で湿気を通さないフイルムからなるものであり、短辺側略中央に引き裂き手段２である二つの切欠き2a，2aとカットテープ2bを設けている。上下端の短辺側の幅は、最小幅部分で約８０mm、最大幅部分で９５mmであり、従来のもの（約１４５mm）に比べて短く、左右の接着部を除くシート状食品収納部の長さＬが、三角おにぎりの底面の一辺の長さ（約７５mm）と略等しくなっている。さらに、長辺側の長さは、三角おにぎりの表面と裏面と底面を覆う長さ（約１８０mm）となっている。
【００２１】
外装フイルム１と隔離フイルム３，４は、図２及び図３に示すように、一枚のフイルムを折り曲げて形成したものであり、隔離フイルム３，４の端部は外装フイルム１の内側略中央で上下に重合するようになっている。
【００２２】
そして、図４に示すように、フイルムの左右の端部を一定の幅（約１０mm）で接着したのち、上下端に近い部分を幅狭く、袖部に近い部分を幅広くなるように四方の接着部９・・９を斜めにカットし、さらに袖部７，８の接着部との間にＶ字形の切り込み部10を設けている（図５参照）。さらに、外装フイルム１の上下端部は、引き裂き手段２を設けた部分を除き、隔離フイルム３，４と接着されている。接着部９の幅を上下端に近い部分を幅狭く形成しているのは、包装したときに、接着部９の上下端に近い部分が、三角おにぎりの斜面からはみだして折れ曲がらないようにするためであり、袖部に近い部分を幅広くなるように形成しているのは、三角おにぎりの底部の角部が、露出しにくいようにするためである。
【００２３】
外装フイルム１と隔離フイルム３，４の間にはシート状食品５が挿入され、本体部６を形成している。尚、シート状食品５は、フイルムの左右を折り曲げるときに挿入される。
【００２４】
袖部７，８は、不透明なフイルムからなり、三角おにぎりの斜面部分を覆う長さを有しており、その幅は三角おにぎりの幅（約４０mm）と略等しくなっている。さらに、袖部７，８は、接着部９の中央部分9aに溶着されている。
【００２５】
シート状食品５は、本実施例では具体的には焼き海苔を使用しているが、勿論焼き海苔に限定するものではなく、シート状に形成された食品であれば任意のものに変更することもできる。シート状に形成された食品とは、具体的には、ゼラチンでシート状に形成された昆布や鰹節以外にも、薄焼き卵、畳鰯等が挙げられる。シート状食品５の幅は、従来のものに比べ、２／３の寸法となっている。
【００２６】
このおにぎり用包装材の製造方法について簡単に説明すると、ロールに巻かれた幅２０５mmのフイルムの両側を５５mmずつ折り曲げて外装フイルム１と隔離フイルム３，４とし、その間にシート状食品５を挿入してから、サイドシーラーで左右を均等な幅（約１０mm）で接着して接着部を形成し、その後ダイカッターで接着部９の形状を整える。次に、エンドシーラーで上下の端部を接着してから一枚毎に切断し、本体部６を形成する。最後に、別のフイルムロールから供給された袖部７，８を接着部９の中央部分9aに溶着し、おにぎり用包装材が完成する。
【００２７】
このように、この発明では、外装フイルム１と隔離フイルム３，４が一つのフイルムで構成されているので、外装フイルム１と隔離フイルム３，４を別々のフイルムロールを使用して形成する場合に比べておにぎり用包装材製造機にかけるフイルムロールの数が減り、フイルムロールを交換する手間が少なくなる。
【００２８】
以上のようにして製造されたおにぎり用包装材を、隔離フイルム３，４側を上向けにして置き、その上側部分に三角に形成されたにぎり飯Ｎを置き（図６参照）、本体部６の下側の部分でにぎり飯Ｎの裏側面と斜面に沿わせてから、本体部６の上側部分をにぎり飯Ｎの斜面に沿わせて包み、さらに袖部７，８で三角にぎり飯Ｎの斜面を覆い、袖部７，８の先端同士を合わせて熱接着する。このとき、袖部７，８が、本体部６のにぎり飯Ｎの斜面に沿って折り曲げた部分を、にぎり飯Ｎの斜面に密着するように押すので、おにぎりの角部が開かず、きっちりと包装される。
【００２９】
図７はおにぎりの包装された状態であり、便宜上透明な状態で示しているが、袖部７，８は不透明なフイルムからなるものであるので、おにぎりの斜面に折り込んだ部分が見えず、外観の良いものとなる。さらに、袖部７，８は、品質補償期間、栄養成分、原材料の表示としても使用できる。
【００３０】
この表示は、印刷により表示しても良いし、ラベルを貼り付けることにより表示しても良い。
【００３１】
このようにして包装されたおにぎりを食べるときは、カットテープ2bを引いて外装フイルム１を二分し、二分された外装フイルム１の一方を引くと、隔離フイルム３も一緒に抜け、シート状食品５が三角に形成されたにぎり飯Ｎの半分に被さる。
【００３２】
次におにぎりを持ちかえて、二分された他方の外装フイルム１を引くと、隔離フイルム４も一緒に抜け、シート状食品５がにぎり飯Ｎ全体に被さる。
【００３３】
以上が実施例であり、接着部９の幅を、上下端に近い部分を幅狭く形成し、袖部に近い部分を幅広く形成したものとしたが、同一幅としても実施できる。
【００３４】
また、使用するフイルムを引き裂き方向性を有する易カットフイルムとすれば、カットテープは省略して実施することができる。また、カットテープに代えて、カット糸を使用することもできる。
【００３５】
またさらに、カットテープを引きやすくするために、隔離フイルム３，４のカットテープの上端との重なり部分に切欠き3a，4aを設けることもできる。
【００３６】
またさらに、袖部７，８を本体部６と別体とした実施例を示したが、幅広のフイルムを使用すれば、外装フイルム１と袖部７，８を同一のフイルムからなるものとして実施することもできる。
【００３７】
【発明の効果】
この発明のおにぎり用包装材では、上述のように構成されており、袖部７，８が本体部６の端をにぎり飯Ｎの斜面に密着するように押すので、おにぎりの角部が包装材の弾発力により開くことがなく、きっちりと包装でき、包装されたにぎり飯Ｎが殆ど外気に触れることがないので、衛生的なものになる。さらに、本体部６の幅が従来のおにぎり用包装材に比べて狭く、間に挿入されたシート状食品の幅が従来のものに比べ約２／３であるので、安価に製造できるという効果もある。
【００３８】
また、本体部６の長辺側端部に形成された接着部９を、上下端に近い部分を幅狭く形成することにより、包装したときに本体部６の上下端の角部が折り曲げられることがないので、包装しやすくなり、袖部７，８に近い部分の接着部９の幅を幅広く形成することにより、おにぎりの底部角付近が接着部９で覆われ、充分に包装されるようになり、より外気に接する部分が少なくなるので、衛生的になる。切り込み部10は、包装するときに、本体部６をにぎり飯Ｎに沿って折り曲げやすくなり、包装が容易になる。
【００３９】
請求項２に記載のように、請求項１記載の構成に加え、本体部６の長辺側端部に形成された接着部９を除いたシート状食品収納部の短辺方向の長さＬが、略にぎり飯Ｎの底部を覆う長さとすれば、にぎり飯Ｎを包んだときに、本体部６の下側の部分が上側部分で折り曲げられることがないので、食べるときにシート状食品が引っ掛からず簡単に抜け、食べやすいものとなる。
【００４０】
請求項３に記載のように、請求項１又は２記載の構成に加え、本体部６を構成する外装フイルム１と２枚の隔離フイルム３，４が一枚のフイルムを折り曲げて形成したものとすれば、おにぎり用包装材製造機にかけるフイルムロールの数が減り、その結果フイルムロールの掛け替え作業が減り、作業効率が良くなるという効果がさらに加わる。
【００４１】
請求項４に記載のように、請求項１，２又は３記載の構成に加え、袖部７，８が本体部６と別体に設けられたものであり、本体部６の接着部９の中央部分9aに接着されて形成されたものとすれば、袖部７，８を外装フイルム１と一体に形成した場合に比べ、使用するフイルム材料が少なくなり、安価になる。
【００４２】
請求項５に記載のように、請求項４記載の構成に加え、袖部７，８が不透明なフイルムからなるものとすれば、包装したときに外装フイルム１の重なり部分が袖部７，８により隠されて見えなくなり、外観が良くなるだけでなく、袖部７，８に印刷を施して製造年月日や原材料等の表示部とすることができるようになり、従来必要であったラベルが不要となり、生産効率が良くなる。
【図面の簡単な説明】
【図１】この発明のおにぎり用包装材の隔離フイルム側より見た正面図である。
【図２】図１のＡ−Ａ断面図である。
【図３】この発明のおにぎり用包装材の本体部を製造する工程を説明する説明図である。
【図４】この発明のおにぎり用包装材の本体部を製造する工程を説明する説明図である。
【図５】この発明のおにぎり用包装材の本体部を製造する工程を説明する説明図である。
【図６】この発明のおにぎり用包装材を使用して包装するときの手順を示す説明図である。
【図７】この発明のおにぎり用包装材を使用しておにぎりを包装した状態を示す斜視図である。
【符号の説明】
Ｌ シート状食品収納部の短辺方向の長さ
Ｎ にぎり飯
１ 外装フイルム
２ 引き裂き手段
３，４ 隔離フイルム
５ シート状食品
６ 本体部
７，８ 袖部
９ 接着部
9a 中央部分
10 切り込み部
【図１】
0003646194.tif 000002
【図２】
0003646194.tif 000003
【図３】
0003646194.tif 000004
【図４】
0003646194.tif 000005
【図５】
0003646194.tif 000006
【図６】
0003646194.tif 000007
【図７】
0003646194.tif 000008